(57)【特許請求の範囲】
【請求項１】
回路基板と、ストロボ充電用のメインコンデンサとを有するカメラにおいて、
前記回路基板に対して前記メインコンデンサを長さ方向に略並行に沿うように受け止めるトレイ部と、このトレイ部の両端部に設けられ前記トレイ部を前記回路基板から一定高さ離した状態で前記回路基板に固定する２本の脚部とからなるコンデンサ保持部材を設け、前記トレイ部と前記回路基板との間及び前記２本の脚部間に空間を確保したことを特徴とするカメラ。
【請求項２】
前記脚部には係合爪が設けられ、この係合爪が前記回路基板に形成された係合穴に係合して、前記コンデンサ保持部材が前記回路基板に固定されることを特徴とする請求項１記載のカメラ。
【発明の詳細な説明】
【０００１】
【発明の属する技術分野】
本発明は、ストロボ装置内蔵のカメラ、更に詳しくは、ストロボ用メインコンデンサの実装に関するものである。
【０００２】
【従来の技術】
カメラ等に広く用いられているストロボ装置は、電源電流を昇圧して高電圧状態でメインコンデンサに充電を行ない、シャッタ動作と同時にストロボ放電管内に放電させて、ストロボ光を得る方式が一般的である。
【０００３】
殆どのストロボ装置に構成部品として使用されるメインコンデンサは、充分な光量を得るために比較的大容量で大型のものが用いられることが多く、ストロボ装置の数ある構成部品の中でも、最も外形が大きな部品の１つである。このため、カメラの小型化の際のネックになることも多く、なるべくスペースを有効に利用するために、従来は、円筒形のコンデンサをストロボ回路基板と並行に沿わせ、且つ、ストロボ回路基板から大幅に浮かないように接近させて実装されていた。
【０００４】
【発明が解決しようとする課題】
しかしながら、メインコンデンサは円筒形であるため、ストロボ回路基板に接して実装させた場合でも、円周部分のデットスペースが生じ、カメラ内の限られた空間の効率的な利用ができないという問題があった。更に、メインコンデンサには高電圧状態で電荷が蓄積されるため、他の構成部品をメインコンデンサの周囲に配置する場合にも、短絡等の防止のため一定の間隔を開ける必要があり、効率的な部品配置を一層困難にしていた。
【０００５】
本発明は、上記問題点を解決するためのもので、空間の利用効率を高め、且つ、安全性を高めるようにメインコンデンサを設けたカメラを提供することを目的とする。
【０００６】
【課題を解決するための手段】
上記問題点を解決するために、本発明では、回路基板と、ストロボ充電用のメインコンデンサとを有するカメラにおいて、前記回路基板に対して前記メインコンデンサを長さ方向に略並行に沿うように受け止めるトレイ部と、このトレイ部の両端部に設けられ前記トレイ部を前記回路基板から一定高さ離した状態で前記回路基板に固定する２本の脚部とからなるコンデンサ保持部材を設け、前記トレイ部と前記回路基板との間及び前記２本の脚部間に空間を確保したことを特徴とする。前記脚部には係合爪が設けられ、この係合爪が前記回路基板に形成された係合穴に係合して、前記コンデンサ保持部材が前記回路基板に固定されることが好ましい。前記コンデンサ保持部材は、絶縁性材料、難燃性材料で形成することが好ましい。
【０００７】
【発明の実施の形態】
以下に、本発明のカメラとして電子スチルカメラを説明する。図２及び図３は、電子スチルカメラ２（以下、カメラと省略する）の不撮影時及び撮影時の状態を示す外観斜視図である。カメラ２の前面には、ズーム光学系を構成する撮影レンズ３が配置されている。この撮影レンズ３は、カメラ２が撮影状態にある際に前方に向けて突出され、不撮影状態にある際に沈胴されるレンズ鏡筒４に組み込まれている。
【０００８】
撮影レンズ３の周囲には、対物側ファインダ窓６と、測距用投光窓７及び測光用受光窓８とが配置されている。測距用投光窓７の奥には、被写体に向けて赤外線等の測距光を照射する投光器が組み込まれており、被写体で反射した測距光は、撮影レンズ３の奥に組み込まれた測距用受光センサで受光される。測光用受光窓８の奥には、被写体の輝度を測定する測光センサが組み込まれている。
【０００９】
また、レンズ鏡筒４の外周には、円環形状の化粧リング１０が取り付けられている。この化粧リング１０は、取り外し可能とされており、化粧リング１０の代わりにコンバータレンズ等を取り付けられるようになっている。化粧リング１０の側方には、化粧リング１０をカメラ２から取り外す際に、化粧リング１０を固定しているロックを解除する解除ボタン１１が配置されている。
【００１０】
カメラ２の前面側方には、カメラ２の保持に使用される、前方に膨らんだグリップ部１３が設けられている。このグリップ部１３の内部には、カメラ２の電源電池が収納される電池室が設けられており、また、後述するストロボ装置２０のメインコンデンサが収納される。グリップ部１３の底面には、電池室を開閉する電池蓋１４が設けられている。グリップ部１３の上面には、測距，測光時に半押しされ、シャッタレリーズ時に深く押し込まれるシャッタボタン１５が設けられている。
【００１１】
カメラ２の上面で、シャッタボタン１５の近傍には、モード設定ダイヤル１７と、情報表示用液晶パネル１８とが設けられている。モード設定ダイヤル１７は、回動自在とされており、特定の位置で回動を停止することで、カメラ２を撮影モード，撮影画像鑑賞モード，データ転送モード，設定モード等に切り換える。情報表示用液晶パネル１８は、撮影枚数や電源電池の状態等のカメラ２の各種情報を表示する。
【００１２】
カメラ２の上面中央部には、ストロボ装置２０の発光部２０ａが設けられている。この発光部２０ａはポップアップ式であり、ストロボ不使用時にはカメラ２内に収納されている。そして、ストロボ撮影時には上方にポップアップされ露呈する。ストロボ発光部２０の側方には、収納状態にある発光部２０ａをポップアップさせるためのポップアップボタン２１が設けられている。
【００１３】
カメラ２のグリップ部１３が設けられているのとは反対側の側面には、ジャックカバー部材２５が開閉可能に取り付けられている。このジャックカバー部材２５は、閉じ位置においてはカメラ２を保持する際のグリップとして機能するとともに、図４に示す撮影した画像データをデジタル出力するデジタル出力用ジャック２６ａ，コンポジット信号等でアナログ出力するビデオ出力ジャック２６ｂ，電源アダプタが接続される電源ジャック２６ｃが設けられたジャック部２６を覆い隠す。
【００１４】
図４は、カメラ２の構成を示す分解斜視図である。カメラ２は、レンズ鏡筒４やモード設定ダイヤル１７，情報表示用液晶パネル１８，ストロボ装置２０を構成するストロボ回路基板４０，画像表示用液晶パネル（図示せず），撮像用のＣＣＤやシャッタユニット等の各種撮影機能部品がフレーム部材に組み込まれたカメラ本体２８と、このカメラ本体２８の前面側と背面側とを覆ってカメラ２の外観デザインを構成する前面カバーユニット２９及び背面カバーユニット３０とからなる。
【００１５】
ストロボ回路基板４０には、ストロボ回路の回路パターンが形成され、ストロボ回路を構成するトランジスタ，昇圧コイル，ダイオード，抵抗等が載置される。また、基板の中程にコンデンサ保持部材４１が取り付けられ、メインコンデンサ４２が保持される。
【００１６】
図１に示すように、コンデンサ保持部材４１は、メインコンデンサ４２を半分ほど覆う、内面が半円筒形状のトレイ部４３と、このトレイ部４３の両側端に一体に形成され、トレイ部４３をストロボ回路基板４０から一定高さ離した状態にする２つの脚部４４ａ，４４ｂとからなる。
【００１７】
トレイ部４３の一方の側端には、メインコンデンサ４２の２本のリード線４２ａをストロボ回路基板４０方向に出すためのリード線穴４５が形成されている。また、脚部４４ａ，４４ｂの底には、係合爪４６ａ，４６ｂが各々一体に形成され、ストロボ回路基板４０には、これら係合爪４６ａ，４６ｂと係合する係合穴４０ａ，４０ｂが形成されている。
【００１８】
コンデンサ保持部材４１は、全体が樹脂等の絶縁性材料で形成される。更に、絶縁性に加えて難燃性が高い材料で形成することにより、ストロボ装置の安全性をより高めることができる。
【００１９】
コンデンサ保持部材４１は、ストロボ装置２０の組立時に係合爪４６ａ，４６ｂが係合穴４０ａ，４０ｂに差し込まれ、ストロボ回路基板４０上に固定される。そして、メインコンデンサ４２をトレイ部４３に保持させると共に、図５に示すように、リード線４２ａがリード線穴４５を通され、ストロボ回路基板４０の回路パターンの所定位置にハンダ付けされる。
【００２０】
こうして組み立てられたストロボ回路基板４０は、カメラ２のグリップ部１３の裏側付近に取り付けられ、コンデンサ保持部材４１で保持されているメインコンデンサ４２は、グリップ部１３内に入り込んだ位置で固定される。また、グリップ部１３の内面側には、メインコンデンサ４２をトレイ部４３に押しつけておくリブ１３ａが一体に形成されている。
【００２１】
このように、メインコンデンサ４２をコンデンサ保持部材４１に保持させ、ストロボ回路基板４０から一定高さ離した状態で実装することにより、メインコンデンサ４２とストロボ回路基板４０との間の空間にも、ストロボ回路を構成する各種部品を組み付けることが可能になり、各種部品の効率的な配置が可能になる。そして、ストロボ回路基板４０のサイズを大幅に小型化することが可能になる。
【００２２】
また、メインコンデンサ４２を絶縁性のコンデンサ保持部材４１に保持させ、更にストロボ回路基板４０から離すことにより、短絡等の危険性も減少し、ストロボ装置２０の安全性を高めることができる。
【００２３】
なお、上記実施形態では、回路基板としてストロボ回路基板を例示したが、勿論、これ以外にも、カメラの制御用基板等、各種回路基板を用いることができる。また、上記実施形態では、カメラとして、電子スチルカメラを示したが、勿論、写真フイルムを用いる通常のカメラや、簡易なカメラの一種であるレンズ付きフイルムユニットにも全く同様に適用可能である。
【００２４】
【発明の効果】
以上説明したように、本発明によれば、回路基板と、ストロボ充電用のメインコンデンサとを有するカメラにおいて、前記回路基板に対して前記メインコンデンサを長さ方向に略並行に沿うように受け止めるトレイ部と、このトレイ部の両端部に設けられ前記トレイ部を前記回路基板から一定高さ離した状態で前記回路基板に固定する２本の脚部とからなるコンデンサ保持部材を設け、前記トレイ部と前記回路基板との間及び前記２本の脚部間に空間を確保したので、空間の利用効率を高め、且つ、安全性を高めるようにメインコンデンサを設けたカメラを提供することが可能になる。
【図面の簡単な説明】
【図１】本発明のカメラの要部を示す説明図である。
【図２】カメラの不撮影状態を示す外観斜視図である。
【図３】カメラの撮影状態を示す外観斜視図である。
【図４】カメラの構成を示す分解斜視図である。
【図５】カメラのグリップ部内部を示す説明図である。
【符号の説明】
２  電子スチルカメラ
１３  グリップ部
２０  ストロボ装置
４０  ストロボ回路基板
４１  コンデンサ保持部材
４２  メインコンデンサ
４３  トレイ部
４４ａ，４４ｂ  脚部
【図１】
0003832795.tif 000002
【図２】
0003832795.tif 000003
【図３】
0003832795.tif 000004
【図４】
0003832795.tif 000005
【図５】
0003832795.tif 000006